(57)【要約】【課題】二重構造のシャワーホースにおいて、美観に優れ、内部ホースを確実に保護しながらキャビネットから引き出し自在に使用することができるといった特性を損なうことなく、キャビネット内部への水滴の侵入を極力防止することができ、キャビネット内の容積を有効活用することが可能なシャワーホース構造の提供を目的とする。【解決手段】給湯用のホース材から成る内部ホース１の外側に、ステンレス等金属製のフレキシブルチューブから成る外部チューブ２を巻き付けて二重構造のシャワーホースを設ける。キャビネットＰから引き出されて露出する外部チューブ２の外側面を、透明又は半透明な熱収縮性チューブ３で被覆する。【選択図】図１
0003121510.tif 000002
【実用新案登録請求の範囲】
【請求項１】
洗面台または流し台等のキャビネットに、引き出し自在に装着されるシャワーホースにおいて、給湯用のホース材から成る内部ホースの外側に、二重構造用の金属製フレキシブルチューブから成る外部チューブを巻き付けて二重構造のシャワーホースを設け、外部チューブの外側面を熱収縮性チューブで被覆したことを特徴とするシャワーホース構造。
【請求項２】
前記外部チューブは、ステンレス製のセミインターロックフレキシブルチューブ又は金属製のケーシングフレキを使用する請求項１記載のシャワーホース構造。
【請求項３】
前記外部チューブの外側面は、少なくとも、前記キャビネットから引き出されて露出する範囲を前記熱収縮性チューブで被覆された請求項１又は２記載のシャワーホース構造。
【請求項４】
前記熱収縮性チューブとして、エチレンプロピレンゴム、シリコーン、ニトリルブタジエンゴム、ポリオレフィン等のゴムをベースとした熱収縮性チューブ又は軟質ポリ塩化ビニル樹脂製の熱収縮性チューブを使用する請求項１乃至３いずれか記載のシャワーホース構造。
【請求項５】
前記外部チューブの外側面は、透明又は半透明の熱収縮性チューブで被覆された請求項１乃至４いずれか記載のシャワーホース構造。
【請求項６】
前記外部チューブの外側面は、着色された熱収縮性チューブで被覆された請求項１乃至４いずれか記載のシャワーホース構造。
【考案の詳細な説明】
【技術分野】
【０００１】
本考案は、洗面台や流し台等のキャビネットに内蔵され、引き出し自在に設けられたシャワーに用いるシャワーホース構造に係り、特に内部ホースの外側にステンレス等の金属製のフレキシブルチューブを巻き付けた二重構造のシャワーホース構造に関する。
【背景技術】
【０００２】
洗面台や流し台等のキャビネットに内蔵したシャワーホースを引き出して使用した場合、このシャワーホースに付着した水滴がシャワーホースを伝ってキャビネット内に侵入するので、このキャビネットを水浸しにしないように様々な工夫がなされている。
【０００３】
たとえば特許文献１や特許文献２に記載された水栓装置等では、引き出したシャワーホースがキャビネット内に収納される前に、シャワーホースの外側面に接触する水切り部（特許文献１）や隔離部材（特許文献２）を設けることで、シャワーホースの表面を伝う水滴を遮断し、この水滴がキャビネット内へ侵入するのを防止しようとするものである。
【０００４】
一方、特許文献３や特許文献４に記載された洗面台では、キャビネット内にシャワーホースカバー（特許文献３）やシャワーホース収納用の袋体（特許文献４）を設置し、キャビネット内に侵入した水滴をこれらのシャワーホースカバー等で受けた後に、キャビネットから排出するようにしたものである。
【特許文献１】特開平５−２９５７７１号公報
【特許文献２】特許２００５−２９９１１８号公報
【特許文献３】特開平８−１７７０９６号公報
【特許文献４】特許２００６−３４５８１号公報
【考案の開示】
【考案が解決しようとする課題】
【０００５】
ところが、特許文献１や特許文献２の如く、水切り部や隔離部材をシャワーホースの表面に接触させるものでは、シャワーホース表面に付着した水滴を除去し得たとしても、シャワーホースの内部に侵入した水滴までを除去することはできない。すなわち、内部ホースの外側にステンレス製のフレキシブルチューブを巻き付けた二重構造のシャワーホースでは、このフレキシブルチューブの隙間から内部に水滴が侵入してしまうので、シャワーホースの表面にのみ接触する水切り部や隔離部材では、フレキシブルチューブ内に侵入した水滴を除去することは不可能である。
【０００６】
一方、特許文献３や特許文献４の如く、キャビネットの内部にシャワーホースカバーや袋体を装着してシャワーホースを収納する構造では、これらのシャワーホースカバー等がキャビネットの内部で大きく嵩張ってしまうので、キャビネット内の収納容積が狭くなる不都合が生じている。
【０００７】
特に、内部ホースの外側にステンレス製のフレキシブルチューブを巻き付けた二重構造のシャワーホースは、美観に優れ、内部ホースを確実に保護することができる上に、屈曲特性が高く、シャワーとしての自由度が得られることから、洗面台や流し台等のキャビネットに引き出し自在に装着されるシャワーホースとして多く使用されている。ところが、この種の二重構造のシャワーホースを使用すると、フレキシブルチューブを伝って管内部に侵入する水滴が多くなるので、フレキシブルチューブを巻き付けていないホースよりも多量の水滴がキャビネット内部に侵入することになる。このように、二重構造のシャワーホースを使用した場合は、美観に優れ内部ホースの保護を確実に行える反面、キャビネット内の容積がより制限されてしまう不都合があった。
【０００８】
また、寒冷地において、金属製のフレキシブルチューブを巻き付けた二重構造のシャワーホースを使用すると、給湯後すぐにキャビネット内に収納した場合など、このフレキシブルチューブの温度と環境温度との温度差により、フレキシブルチューブ表面に結露が生じることがある。そのため、この結露による思わぬトラブルが発生する虞があった。
【０００９】
そこで、本考案は上述の課題を解消すべく案出されたもので、内部ホースの外側にステンレス等の金属製のフレキシブルチューブを巻き付けた二重構造のシャワーホースにおいて、美観に優れ、内部ホースを確実に保護しながらキャビネットから引き出し自在に使用することができるといった特性を損なうことなく、キャビネット内部への水滴の侵入を極力防止することができ、キャビネット内の容積を有効活用することが可能なシャワーホース構造の提供を目的とする。
【課題を解決するための手段】
【００１０】
本考案の第１の手段は、洗面台または流し台等のキャビネットに、引き出し自在に装着されるシャワーホースにおいて、給湯用のホース材から成る内部ホース１の外側に、二重構造用の金属製フレキシブルチューブから成る外部チューブ２を巻き付けて二重構造のシャワーホースを設け、外部チューブ２の外側面を熱収縮性チューブ３で被覆したことにある。
【００１１】
第２の手段の前記外部チューブ２は、ステンレス製のセミインターロックフレキシブルチューブ又は金属製のケーシングフレキを使用する。
【００１２】
第３の手段の前記外部チューブ２の外側面は、少なくとも、前記キャビネットＰから引き出されて露出する範囲を前記熱収縮性チューブ３で被覆されている。
【００１３】
第４の手段において、前記熱収縮性チューブ３として、エチレンプロピレンゴム、シリコーン、ニトリルブタジエンゴム、ポリオレフィン等のゴムをベースとした熱収縮性チューブ３又は軟質ポリ塩化ビニル樹脂製の熱収縮性チューブ３を使用することにある。
【００１４】
第５の手段において、前記外部チューブ２の外側面は、透明又は半透明の熱収縮性チューブ３で被覆されている。
【００１５】
第６の手段において、前記外部チューブ２の外側面は、着色された熱収縮性チューブ３で被覆されたことを課題解消のための手段とする。
【考案の効果】
【００１６】
本考案の請求項１により、内部ホース１の外側に、二重構造用の金属製フレキシブルチューブを外部チューブ２として巻き付けた二重構造のシャワーホースを設け、該外部チューブ２の外側面を熱収縮性チューブ３で被覆しているので、金属製フレキシブルチューブの屈曲特性を損なうことなく、内部ホース１を確実に保護しながらキャビネットＰから引き出し自在に使用することができる。しかも、これら二重構造の特性を損なうことなく、キャビネット内部への水滴の侵入を極力防止することが可能になった。この結果、二重構造のシャワーホースを使用しても、大量の水滴がキャビネット内に侵入する虞はなくなり、キャビネット内の容積を有効活用することができる。
【００１７】
更に、本考案シャワーホースを寒冷地で使用した場合に、金属製フレキシブルチューブから成る外部チューブ２を熱収縮性チューブ３が被覆しているので、この外部チューブ２と環境温度との温度差が少なくなる。この結果、本考案シャワーホースで給湯した後でも結露の発生を抑止する効果がある。したがって、結露による思わぬトラブルを防止することもできる。
【００１８】
外部チューブ２として、ステンレス製のセミインターロックフレキシブルチューブ又は鉄製のケーシングフレキを使用することで、特に高い屈曲特性を有し、内部ホース１を確実に保護することができる。このとき、ステンレス製のセミインターロックフレキシブルチューブを使用すると、優れた美観による高級感を提供することができる。一方、金属製のケーシングフレキを使用した場合は、安価な提供が可能になる。
【００１９】
また、請求項３により、キャビネットから引き出されて露出する範囲を前記熱収縮性チューブ３で被覆したことで、シャワーＱとして使用する際の柔軟性を損なうことがない。しかも、本考案ホースをキャビネット内に収納した際に、最も屈曲する部分は外部チューブ２が露出して屈曲特性は全く損なわれていないので、収納操作もスムーズに行うことができる。
【００２０】
更に、請求項４により、前記外部チューブ２として、エチレンプロピレンゴム、シリコーン、ニトリルブタジエンゴム、ポリオレフィン等のゴムをベースとした熱収縮性チューブ３又は軟質ポリ塩化ビニル樹脂を使用すると扱いが容易で収縮後の耐熱性も高いことから、外部チューブ２の被覆材として最適である。
【００２１】
請求項５によると、外部チューブ２の外側面を透明又は半透明の熱収縮性チューブ３で被覆することで、たとえばステンレス製のセミインターロックフレキシブルチューブの美観を損なうことなく、洗面所や台所のシャワーホースとして使用した場合に、高級感を提供することができる。
【００２２】
請求項６では、外部チューブ２の外側面を着色された熱収縮性チューブ３で被覆することで、これまで全く提供されていない色彩や質感のシャワーホースの提供が可能になる。また、鉄製のケーシングフレキの外側面を着色された熱収縮性チューブ３で被覆して安価なシャワーホースを提供することも可能である。
【００２３】
このように本考案によると、内部ホースの外側にステンレス等の金属製のフレキシブルチューブを巻き付けた二重構造のシャワーホースにおいて、美観に優れ、内部ホースを確実に保護しながらキャビネットから引き出し自在に使用することができるなどの特性を損なうことなく、キャビネット内部への水滴の侵入を極力防止することができ、キャビネット内の容積を有効活用することが可能になるなどといった有益な種々の効果を奏するものである。
【考案を実施するための最良の形態】
【００２４】
本考案の最良の形態は、給湯用のホース材から成る内部ホース１の外側に、ステンレス製のセミインターロックフレキシブルチューブから成る外部チューブ２を巻き付けて二重構造のシャワーホースを設ける。キャビネットＰから引き出されて露出する外部チューブ２の外側面を、透明又は半透明な熱収縮性チューブ３で被覆することで当初の目的を達成するものである。
【実施例】
【００２５】
本考案は、洗面台または流し台等のキャビネットＰに装着されるシャワーホースであり、内部ホース１の外側にステンレス等の金属製の外部チューブ２を巻き付けた二重構造を成す。内部ホース１は、たとえば合成樹脂材や合成ゴム材など、給湯用のホース材として使用されている各種の材質で設けることができる。
【００２６】
一方、外部チューブ２は、金属製のフレキシブルチューブを用いるもので、特に、内部ホース１の保護と高い屈曲特性を有する二重構造用のフレキシブルチューブを使用する。フレキシブルチューブの種類には、スパイラルの各ピッチ部分に防水材を設けてフレキシブルチューブのみで給湯可能にしたインターロックチューブなども提供されている。ところが、このようなインターロックチューブなどでは、屈曲特性が制限され、シャワーＱに使用する際の自由度が少なくなることから、本考案では、より屈曲特性が高く、シャワーＱとしての自由度が得られる防水材を設けない二重構造用の金属製フレキシブルチューブを使用する。
【００２７】
このとき、ステンレス製のセミインターロックフレキシブルチューブを使用すると、外観も良好になるので、洗面台または流し台等のキャビネットＰに装着されるシャワーホースとして最適なものになる。
【００２８】
また、ケーブル収納用に使用される亜鉛引鉄板製等のケーシングフレキを外部チューブ２として使用することも可能である。この金属製ケーシングフレキの外部チューブ２においても高い屈曲特性を有し、内部ホース１を確実に保護することができる。更に、このような金属製フレキシブルチューブから成る外部チューブ２使用することで、後述する熱収縮性チューブ３との相性を高めることができる。
【００２９】
外部チューブ２の外側面は、少なくとも、前記キャビネットから引き出されて露出する範囲を前記熱収縮性チューブ３で被覆されている。すなわち、前記ステンレス製のセミインターロックフレキシブルチューブを外部チューブ２として使用した場合、外部チューブ２自体に高い防錆性能があるので、必要な部分のみを熱収縮性チューブ３で被覆することができる。一方、亜鉛引鉄板製のケーシングフレキを外部チューブ２として用いる場合には、被覆する熱収縮性チューブ３にて外部チューブ２の防錆性能を高めることができるので、外部チューブ２全体を被覆するのが望ましい。
【００３０】
熱収縮性チューブ３は、エチレンプロピレンゴム、シリコーン、ニトリルブタジエンゴム、ポリオレフィン等のゴムをベースとした熱収縮性チューブ３又は軟質ポリ塩化ビニル樹脂製の熱収縮性チューブ３を使用する。また、いずれの熱収縮性チューブ３においても、肉厚は、0.5mm〜1.5 mmとし、たとえば直径14 mmの外部チューブ２に、1.0mm厚の熱収縮性チューブ３を被覆すると、外部チューブ２として使用するフレキシブルチューブの屈曲特性を維持し、シャワーＱとしての自由度を得ることができる。
【００３１】
このとき、透明又は半透明の熱収縮性チューブ３を使用することで、ステンレス製インターロックフレキシブルチューブの外観がそのままの状態や半透明の状態で見えるので高級感を維持することができる。また、着色された熱収縮性チューブ３を使用して個性的なシャワーホースを提供することも可能になっている。
【００３２】
尚、本考案における図示例の各構成は、本考案の一実施例に過ぎず、たとえば、内部ホース１の材質や寸法及び、外部チューブ２で使用する金属製フレキシブルチューブの種類や熱収縮性チューブ３の材質など、本考案の要旨を変更しない範囲において自由に変更することができるものである。
【図面の簡単な説明】
【００３３】
【図１】本考案の一実施例を示す一部切り欠き側面図である。
【図２】本考案の使用状態を示す斜視図である。
【符号の説明】
【００３４】
Ｐ  キャビネット
Ｑ  シャワー
１  内部ホース
２  外部チューブ
３  熱収縮性チューブ
【図１】
0003121510.tif 000003
【図２】
0003121510.tif 000004